(57)【要約】【課題】自撮棒より遠い位置から自撮りを可能とする。【解決手段】スマホを取り付け得て手元から飛ばし得る飛翔体を使用する。【選択図】図２
2020109514.tif 000002
【特許請求の範囲】
【請求項１】
手元から空中にスマホを飛ばして撮影する方法
【請求項２】
スマホを取り付けて手元から飛ばし得ることを特徴とした飛翔体
【発明の詳細な説明】
【技術分野】
【０００１】
本発明は、自撮りを可能とする凧や落下傘等飛翔体とその撮影方法に関する。
【背景技術】
【０００２】
近年、利用者自身をスマホのカメラでうまく撮影（自撮り）できるようにするための自撮り棒が知られている。
図１は、公知の自撮り棒を示す図である。
図１に示す様に、自撮り棒は、棒部材の一端側にスマホを取り付け、他端側を利用者が把持しつつ、セルフタイマー操作を行う。
利用者は、タイマーが切れるタイミングにおいてスマホの表示部に利用者自身が表示されるように自撮り棒を操作することで、そのタイミングで利用者自身が撮影される。
【発明の概要】
【発明が解決しようとする課題】
【０００３】
しかしながら、このような従来の自撮り棒においては、自撮り棒より長い距離で広角の自撮りをすることはできなかった。
【０００４】
本発明は、以上のような事情に鑑みなされたものであり、長い距離と広角での自撮りを可能とする手段として自撮り凧の提供を目的とする。
【課題を解決するための手段】
【０００５】
上記目的を達成するため、本発明の自撮り凧は、凧にスマホを取り付けるようにしてある。
【発明の効果】
【０００６】
本発明によれば、遠い距離で広角で自撮りを行うことができる。
【図面の簡単な説明】
【０００７】
【図１】公知の自撮り棒を示す図である。
【図２】本発明の第１実施形態に係る自撮り凧を示す図である。
【図３】本発明の自撮り凧の構成を示す図である。
【図４】本発明の第２実施形態に係る自撮り凧の仕様態様を示す図である。
【図５】本発明の第３実施形態に係る自撮り凧の構成を示す図である。
【図６】本発明の第４実施形態に係る自撮り凧の構成を示す図である。
【図７】本発明の第７実施例を示す図である。
【発明を実施するための形態】
【０００８】
本発明の実施形態の自撮り凧Ｚについて、図面を参照しながら説明する。
【０００９】
まず、本発明の第１実施形態に係る自撮り凧Ｚについて図２を参照しながら説明する。
図２に示すように、本発明の第1実施形態に係る自撮り凧Ｚは、凧１にスマートフォン（以下、スマホ２という）取付部２との組み合わせによって構成される。
帆１は、紙、ビニール、布などシート状の部材からなり、本実施形態では四角形状に形成されている。
ただし、帆１は、四角形以外の多角形や円形などの形状でもよく、対称形状でも非対称形状でもいい。
なお、帆１には、竹ひごなどの骨部が設けられている（図示省略）が、骨部は、対角線状に設けたり、縦方向又は横方向に沿って所定位置に設けることもできる。
【００１０】
スマホ２には、液晶ディスプレイなどの表示部２２と、表示部２２側の面にカメラ２１が備えられており、表示部２２側（すなわちカメラ２１）を利用者側に向けた状態で帆1に取り付けられる。
スマホを、骨部に取り付けた枠などによるスマホ取付部２に取付けることで強固に固定することができる。又、両面テープなどの接着部材を用いて接着してもよく、クランプ式のホルダーを用いて固定することもできる。
スマホ２は、カメラ２１を通して得た被写体の画像を表示部２２に表示できるようになっており、その状態で撮影操作を行うことで、表示部２２に表示される被写体を撮影できるようになっている。
撮影操作には、例えば、通常の撮影操作であるシャッター操作の他、セルフタイマー操作、リモコン操作などがある。
なお、リモコン操作は、具体的には、スマホ２とは別体のリモコン（図示省略）による操作によって、リモコンから所定信号がスマホ２に無線送信され、スマホ２は、当該信号を受信することに基づいて撮影動作を行う。
リモコンとスマホ２との無線通信は、例えば、スマホ２の仕様に応じて、赤外線通信、Ｂｌｕｅｔｏｏｔｈ（登録商標）のほか、Ｗｉ−Ｆｉ（登録商標）や移動体通信（4Ｇ、5Ｇ等）等のあらゆる通信方式を採用することができるのが本発明第一実施例である。
【００１１】
自撮り凧Ｚには、凧糸３が取り付けられている。
凧糸３は、一端側が、帆１の四隅（ただし四箇所に限定されない）に取り付けられ、他端側を利用者が持つことで、利用者がその長さや張力を調節できるようになっている。
凧糸３は、他端側をリール（自動リールを含む）に巻回してもよく、この場合、利用者がリール操作を介して凧糸３の長さや張力を調節することができる。
このような構成からなる自撮り凧Ｚは、公知の凧揚げと同様の方法で帆１に風を受けさせ、これにより揚力を生じさせて上空まで上昇させることができる。
このとき、利用者は、凧糸３の長さ等を調節することで、自撮り凧Ｚを所定の高さまで上げることができる。
また、自撮り凧Ｚの角度は、凧糸３の長さと自撮り凧Ｚの高さとにもとづいて定まるため、帆１の面の角度、すなわち、スマホ２の角度（撮影角度）も、凧糸３の操作によって調節することができる。
このため、利用者は、自撮り凧Ｚの角度や高さを調節することによって自身がスマホ２の表示部２２に表示されるように調節することができ、その状態でリモコン操作を行うことで、利用者自身を写真撮影する（自撮りする）ことができる。
なお、自撮り凧Ｚを上空に上げる前に予めセルフタイマー操作を行い、タイマーが切れる撮影時に利用者自身がスマホ２の表示部２１に表示するように、自撮り凧Ｚの角度及び高さを調節することでも自撮りは可能である。
【００１２】
このように、本発明の自撮り凧Ｚによれば、凧にスマホを取り付け得る構成にしているため、利用者自身をより遠くの距離から自撮りすることができ、また、凧糸３を調節することで所望の構図で自撮りすることもできる。
なお、長距離での撮影を可能とする撮影方法として衛星写真、航空写真、ドローンによる写真等があるが、これらはいずれもカメラを地上に対し垂直方向に向けた状態で撮影されるため、利用者全体を撮影したり、長距離撮影をするには不向きであった。
本発明の自撮り凧Ｚによれば、このような従来の長距離撮影方法における問題を解決することができる。
【００１３】
次に、本発明の第２実施形態に係る自撮り凧Ｚについて図３及び図４を参照しながら説明する。
図３に示すように、本発明の第２実施形態に係る自撮り凧Ｚは、四角形状の凧を用いている点において第１実施形態と共通するが、プロペラ１０等を設けている点において第１実施形態と異なる。
本実施形態の自撮り凧Ｚは、具体的には、四角形状の帆１によって構成され、帆１の四辺（上辺、下辺、右辺、左辺）に竹ひご１２を設けているが、帆１の中央にひのき棒１６を設けている。  
上辺及び下辺の竹ひご１２は、そり糸１９によって湾曲されており、これに伴って、帆１も湾曲形成されている。
これにより、帆１が風を受け易くなり、揚力を得易くなる。
【００１４】
ひのき棒１６には、上部にコ字金具１４を設け、下部にゴム末端保持部１８を設けている。
コ字金具１４は、上板と下板にそれぞれ孔が設けられており、この２つの孔を連通する態様でシャフト１３が設けられる。
シャフト１３の上端にはビーズ１１を介してプロペラ１０が設けられ、シャフト１３の下端にはゴムひも１７の一端を係止するためのフック（上部）１５が設けられる。
ビーズ１１を設けることで、プロペラ１０がコ字金具１４に接触（摩擦）することを防ぎ、プロペラ１０の回転を円滑にすることができる。
下部固定部１８には、ゴム他端フック１５が設けられている。
これにより、フック（上部）１５にゴムひも１７の一端を取り付け、フック（下部）１５にゴムひも１７の他端を取り付けることができるようにしている。
このため、例えば、指でプロペラ１０を所定方向に回すことで、フック（上部）１５が回転し、ゴムひも１７に対しその回転方向に「ねじり」が生じる。
ある程度「ねじり」を生じさせた後、指を離すと「ねじり」を戻す力が働き、フック（上部）１５が前記回転方向と反対方向に回転することに伴ってプロペラ１０が回って揚力が発生する。
【００１５】
このように、本実施形態の自撮り凧Ｚは、帆１が風を受けて生じる揚力に加え、プロペラ１０による自身の揚力で上昇できる機能を備えている。
このため、風があまり吹いていないときでも上空に上げることができ、また、短時間で所定の高さに到達させることができる。
スマホ２は、下部固定部１８に取付け、表示部２２側を利用者側に向けた状態で取り付けることができるようになっている。
【００１６】
このような自撮り凧Ｚは、図４に示す様に、利用者は、自身がスマホ２の表示部２２に表示されるように、自撮り凧Ｚの角度及び高さを調節することができ、利用者が表示部２２に表示された状態で利用者自身を写真撮影する（自撮りする）ことができる。
これにより、長距離での自撮りを可能とすることができる。
特に、本実施形態の自撮り凧Ｚは、プロペラ１０を備えているため、風があまり吹いていないときでも上空に上げて自撮りすることができ、また、短時間で所定の高さに到達させて所望の構図で自撮りすることができる。
【００１７】
図５は、本発明の第３実施形態に係る自撮り凧を示す図であり、プロペラとゴム１７をV型に配置したもので二本のプロペラ１０をそれぞれ巻いたあと、片手１本で２つのプロペラを保持出来る長所がある。
尚、スマホ２の位置は図５に示す上部でなく、凧本体のV型の下部に設ければ凧の尾に兼用する事が出来る。
【００１８】
図６は本発明第４実施例でプロペラ１０とゴム１６、１７を並行H型に配置したものであり、角型の凧に適し、２つのプロペラでお互いの反トルクを打消し、且つ両プロペラが同方向なので推力が最大となる特徴を有する。
このような自撮り凧Ｚは、第１実施形態及び第２実施形態と同様、利用者は、自身がスマホ２の表示部２２に表示されるように、自撮り凧Ｚの角度及び高さを調節することができ、利用者が表示部２２に表示された状態で利用者自身を写真撮影する（自撮りする）ことができる。
特に、第３実施形態及び第４実施形態の自撮り凧Ｚは、プロペラ１０を複数備えているため、風が吹いていないときでも強力、急速に上部に上げて自撮りすることができる。
【００１９】
又、リモコンを無線とせずに凧糸３を通信線として凧を上げる人の手元にスイッチを設け、このスイッチを前記凧糸兼用の通信線で信号を送り凧に設けたスマホのカメラシャッターを押す有線通信方式が本発明第５の実施例である。
【００２０】
本発明第１実施例から第５実施例迄は凧糸３を設けたものであるが、本発明第６実施例は凧糸３を設けず、自由飛翔体としたものである。その形態は例えば図３の様なものである。
【００２１】
図７は本発明第７実施例であって、落下傘２０を使用するものである。落下傘のヒモ２５の根元をまとめ、スマホ２の裏側の中央の上から１/３のところ付近に感圧性素材の着いたフック２２等にひっかけるなどの手段でヒモ２５をスマホ２に固着する。
これを使用するには、パラシュート本体２０をほぼスマホ２と同じ大きさに折り畳みこれをスマホ２の後ろに重ねて持ち、この落下傘付スマホをパチンコ２３のゴム２４に引っ掛けて空中に上に向けて発射する。又はパチンコ２３を使用せずに手で上方に投げてもよい。上空でパラシュートの傘２０が開き、空中からゆっくりとスマホ２が降下する。この際スマホ２の上から約１/３が落下傘２０、２５で支えられているのでスマホのカメラ２１、画面２２が傾斜しながら降下しつつ自撮りを行えるシャッタを予め適切な秒数にセットして飛ばせばスマホが降下中にシャッタが起動し自撮り出来る。
【００２２】
本発明は自撮り以外も一般風景、その他の撮影もする事も含まれる。
【産業上の利用可能性】
【００２３】
本発明は、自撮り棒より遠くから広角での自撮りや広い風景やその他の撮影に利用することができるので、スマホ産業が更に拡大できる。
【符号の説明】
【００２４】
Ｚ  自撮り凧
１  帆
２  スマホ
２１  カメラ
２２  表示部
３  凧糸
９  利用者
１１  ビーズ
１２  竹ひご
１３  シャフト
１４  コ字金具
１５  フック
１６  ひのき棒
１７  ゴムひも
１８  ゴムひも下部固定部
１９  そり糸
２０  落下傘
２１  同上ひも
２２  感圧性接着面
２３  パチンコ
２４  同上ゴム
【図１】
2020109514.tif 000003
【図２】
2020109514.tif 000004
【図３】
2020109514.tif 000005
【図４】
2020109514.tif 000006
【図５】
2020109514.tif 000007
【図６】
2020109514.tif 000008
【図７】
2020109514.tif 000009